(57)【要約】      （修正有）【課題】様々な垂直型ケーブルマネージャに収容するように調節可能な水平型ケーブルマネージャを提供すること。【解決手段】水平型ケーブルマネージャ２００は、１対の、高密度垂直型ケーブルマネージャ２０とともに、ラック１０に装着される。水平型ケーブルマネージャ２００は、フィンガーに沿って、様々な場所に取外し可能に接続され、配置されたリテーナを含む。水平型ケーブルマネージャ２００は、垂直型ケーブルマネージャを収容するように調節可能である。【選択図】図１
2012231144.tif 000002
【特許請求の範囲】
【請求項１】
キャリッジと、
各々が複数のフィンガー有する、前記キャリッジに接続された１対のフィンガーセクションと、
前記キャリッジに取外し可能に接続された１対のブラケットと
を備える、水平型ケーブルマネージャであって、
前記キャリッジおよび前記フィンガーセクションが、複数のケーブルをルーティングするための水平型ケーブル経路を規定し、
前記ブラケットの各々が、
前記ブラケットをラックに装着するためのラック装着セクションであって、前記ラック装着セクションが、１対のラック装着開口を有し、前記ラック装着開口の各々が、前記ラック装着セクションを前記ラックに固定するために、ラック装着固定具を受けるためのものである、ラック装着セクション、および、
前記キャリッジを前記ブラケットに装着するためのキャリッジ装着セクションであって、前記キャリッジが、前記キャリッジ装着セクションに取外し可能に接続され、前記キャリッジ装着セクションが、少なくとも１対のキャリッジ装着開口を有し、前記キャリッジ装着開口の各々が、前記キャリッジを前記キャリッジ装着セクションに固定するために、キャリッジ装着固定具を各々が受けるためのものであり、前記キャリッジが、隣接する垂直型ケーブルマネージャに関する前記水平型ケーブルマネージャの前後位置が調節可能となるように、前記キャリッジ装着開口に沿って複数の場所に配置可能である、キャリッジ装着セクション
を備える、水平型ケーブルマネージャ。
【請求項２】
１対の側方支持部材を含む、請求項１に記載の水平型ケーブルマネージャ。
【請求項３】
前記ブラケットの各々が、前記側方支持部材のうちの１つに取外し可能に接続された、請求項２に記載の水平型ケーブルマネージャ。
【請求項４】
前記キャリッジが、１対のフィンガー装着ブラケットを含む、請求項１に記載の水平型ケーブルマネージャ。
【請求項５】
前記フィンガーセクションの各々が、前記フィンガー装着ブラケットのうちの１つに取外し可能に接続された、請求項４に記載の水平型ケーブルマネージャ。
【請求項６】
前記フィンガーセクションの各々が、前記フィンガーのうちの１つの遠位端から延びるタブを含む、請求項１に記載の水平型ケーブルマネージャ。
【請求項７】
前記タブが、前記フィンガーに対して垂直であり、１つのフィンガーセクションから、他のフィンガーセクションに向かって延びる、請求項６に記載の水平型ケーブルマネージャ。
【請求項８】
前記フィンガーセクションの各々が、前記フィンガーのうちの１つの遠位端から延びるヒンジナックルを含む、請求項１に記載の水平型ケーブルマネージャ。
【請求項９】
前記キャリッジ装着セクションが、前記ラック装着セクションに対して垂直である、請求項１に記載の水平型ケーブルマネージャ。
【請求項１０】
前記少なくとも１対のキャリッジ装着開口が、少なくとも１対の細長のキャリッジ装着開口を含む、請求項１に記載の水平型ケーブルマネージャ。
【請求項１１】
前記少なくとも１対のキャリッジ装着開口が、複数対のキャリッジ装着開口を含み、前記キャリッジが、前記複数対のキャリッジ装着開口の各々に配置可能である、請求項１に記載の水平型ケーブルマネージャ。
【請求項１２】
前記フィンガーセクションの各々に取外し可能に、かつ回転可能に接続された前面扉をさらに備える、請求項１に記載の水平型ケーブルマネージャ。
【請求項１３】
前記キャリッジに回転可能に接続された背面カバーをさらに備える、請求項１に記載の水平型ケーブルマネージャ。
【請求項１４】
前記背面カバーが、前記ケーブルのうちの少なくとも１つをルーティングするための開口を含む、請求項１３に記載の水平型ケーブルマネージャ。
【請求項１５】
前記背面カバーが、前記少なくとも１つのケーブルを取り囲む前記開口の一部分を封止するためのグロメットを含む、請求項１４に記載の水平型ケーブルマネージャ。
【請求項１６】
前記背面カバーが、前記少なくとも１つのケーブルを取り囲む前記開口の一部分を封止するためのスリーブを含む、請求項１４に記載の水平型ケーブルマネージャ。
【請求項１７】
前記フィンガーのうちの１つに回転可能に接続されたリテーナをさらに含む、請求項１に記載の水平型ケーブルマネージャ。
【請求項１８】
前記リテーナが、前記フィンガーの遠位端に配置される、請求項１７に記載の水平型ケーブルマネージャ。
【請求項１９】
前記リテーナが、前記キャリッジと前記フィンガーの遠位端の間に配置される、請求項１７に記載の水平型ケーブルマネージャ。
【請求項２０】
前記キャリッジと前記ブラケットの少なくとも一方が、前記水平型ケーブルマネージャを前記隣接する垂直型ケーブルマネージャと整列させるための指標を含む、請求項１に記載の水平型ケーブルマネージャ。
【発明の詳細な説明】
【技術分野】
【０００１】
関連出願の相互参照
本出願は、２０１１年４月２６日に出願された米国仮特許出願第６１／４７８，９７４号に優先権を主張するものであり、その出願全体は、参照により本明細書に組み込まれる。
【０００２】
本出願は、水平型ケーブルマネージャに関する。より詳細には、本出願は、様々な垂直型ケーブルマネージャを収容するように調節可能な水平型ケーブルマネージャに関する。
【０００３】
ケーブルマネージャは、当技術分野でよく知られている。たとえば、図２４〜図２６に示すように、ＰａｎｄｕｉｔのＮｅｔＭａｎａｇｅｒ（商標）高密度水平型ケーブルマネージャ（ＮＭＦ）のような高密度水平型ケーブルマネージャ１００は、１対の、ＰａｎｄｕｉｔのＰａｔｃｈＲｕｎｎｅｒ（商標）高密度垂直型ケーブルマネージャ（ＰＥＶＦ）のような高密度垂直型ケーブルマネージャ２０とともに、Ｐａｎｄｕｉｔの標準的な６インチラック（Ｒ２Ｐ６Ｓ）のようなラック１０に装着される。ケーブル４０の束３０は、高密度水平型ケーブルマネージャ１００および高密度垂直型ケーブルマネージャ２０を通してルーティングされる。しかしながら、高密度水平型ケーブルマネージャ１００は、高密度垂直型ケーブルマネージャ２０と整列していないので、ケーブル４０の束３０をルーティングするために利用可能な空間５０の量が制限される。
【０００４】
したがって、様々な垂直型ケーブルマネージャを収容するように調節可能な水平型ケーブルマネージャが必要とされている。
【発明の概要】
【０００５】
本出願のある実施形態は、水平型ケーブルマネージャを提供する。本水平型ケーブルマネージャは、キャリッジを含む。それに加えて、本水平型ケーブルマネージャは、キャリッジに接続された１対のフィンガーセクションを含む。フィンガーセクションの各々は、複数のフィンガーを含む。キャリッジとフィンガーセクションとは、複数のケーブルをルーティングするための水平型ケーブル経路を規定する。それに加えて、本水平型ケーブルマネージャは、キャリッジに取外し可能に接続された１対のブラケットを含む。ブラケットの各々は、ブラケットをラックに装着するためのラック装着セクションを含む。本ラック装着セクションは、１対のラック装着開口を含む。ラック装着開口の各々は、ラック装着セクションをラックに装着するために、ラック装着固定具を受けるためのものである。それに加えて、ブラケットの各々は、キャリッジをブラケットに装着するためのキャリッジ装着セクションを含む。キャリッジは、キャリッジ装着セクションに取外し可能に接続される。キャリッジ装着セクションは、少なくとも１対のキャリッジ装着開口を含む。キャリッジ装着開口の各々は、キャリッジをキャリッジ装着セクションに固定するために、キャリッジ装着固定具を受けるためのものである。キャリッジは、隣接する垂直型ケーブルマネージャに関する水平型ケーブルマネージャの前後位置が調節可能となるように、キャリッジ装着開口に沿って複数の場所に配置可能である。
【図面の簡単な説明】
【０００６】
【図１】本出願の一実施形態による水平型ケーブルマネージャの前面斜視図であり、１対の高密度垂直型ケーブルマネージャとともにラックに装着された水平型ケーブルマネージャを示す。
【図２】図１の水平型ケーブルマネージャの前面斜視図であり、明瞭にするために、前面扉および背面カバーを取り除いて示されている。
【図３】図１の水平型ケーブルマネージャの背面斜視図であり、明瞭にするために、前面扉および背面カバーを取り除いて示されている。
【図４】図２の水平型ケーブルマネージャの展開図である。
【図５】図１の水平型ケーブルマネージャの部分前面斜視図であり、水平型ケーブルマネージャの前面扉および背面カバーを取り除き、垂直型ケーブルマネージャの前面扉を開いて示されている。
【図６】図５の水平型ケーブルマネージャの正面図である。
【図７】図６の線７−７に沿って切断された断面図である。
【図８】図７の詳細部分８の拡大図である。
【図９】図６の線９−９に沿って切断された断面図である。
【図１０】図６の線１０−１０に沿って切断された断面図である。
【図１１】図１の水平型ケーブルマネージャの部分背面斜視図である。
【図１２】図１１の線１２−１２に沿って切断された断面図である。
【図１３】図１１の水平型ケーブルマネージャ１の部分展開図であり、水平型ケーブルマネージャのキャリッジから背面カバーを取り除いて示されている。
【図１４】図１の水平型ケーブルマネージャの部分背面斜視図であり、本出願の代替実施形態による背面カバーを示す。
【図１５】図１の水平型ケーブルマネージャの部分背面斜視図であり、本出願の代替実施形態による背面カバーを示す。
【図１６】図５の水平型ケーブルマネージャの部分前面斜視図であり、フィンガーのうちのいくつかの遠位端に配置されたタブを示す。
【図１７】図１６の線１７−１７に沿って切断された断面図である。
【図１８】図１６のタブのうちの１つの前面斜視図である。
【図１９】図１７の線１９−１９に沿って切断された断面図である。
【図２０】図５の水平型ケーブルマネージャの部分前面斜視図であり、フィンガーのうちのいくつかの中央に配置されたタブが示される。
【図２１】図２０の線２１−２１に沿って切断された断面図である。
【図２２】図１の水平型ケーブルマネージャの部分前面斜視図であり、図１の高密度垂直型ケーブルマネージャよりも密度が低い、１対の垂直型ケーブルマネージャとともにラックに装着された水平型ケーブルマネージャを示す。
【図２３】図２２の線２３−２３に沿って切断された断面図である。
【図２４】先行技術による高密度水平型ケーブルマネージャの部分前面斜視図であり、１対の高密度垂直型ケーブルマネージャとともにラックに装着された高密度水平型ケーブルマネージャを示す。
【図２５】図２４の水平型ケーブルマネージャの部分正面図であり、水平型ケーブルマネージャから前面扉を取り除いて示されている。
【図２６】図２５の線２６−２６に沿って切断された断面図である。
【発明を実施するための形態】
【０００７】
図１および図５〜図２１に示すように、水平型ケーブルマネージャ２００は、１対の、ＰａｎｄｕｉｔのＰａｔｃｈＲｕｎｎｅｒ（商標）高密度垂直型ケーブルマネージャ（ＰＥＶＦ）のような高密度垂直型ケーブルマネージャ２０とともに、Ｐａｎｄｕｉｔの標準的な６インチラック（Ｒ２Ｐ６Ｓ）のようなラック１０に装着される。ケーブル４０の束３０は、高密度水平型ケーブルマネージャ２００および高密度垂直型ケーブルマネージャ２０を通してルーティングされる。
【０００８】
図２〜図４に示すように、水平型ケーブルマネージャ２００は、キャリッジ２１０を含む。キャリッジ２１０は、１対の側方支持部材２１１と、１対のフィンガー装着ブラケット２１２とを含み、たとえば、リベット２１３を使用してこれらを組み付けて、キャリッジ２１０を形成する。代替的には、キャリッジ２１０は、単一構成要素としてもよい。好ましくは、キャリッジ２１０、またはその少なくとも一部分は、たとえば、ラック１０の前の冷たい空気と、ラック１０の後ろの熱い空気とを分離するために、水平型ケーブルマネージャ２００を通る空気流を遮断する。
【０００９】
それに加えて、水平型ケーブルマネージャ２００は、各々がキャリッジ２１０に取外し可能に接続された１対のフィンガーセクション２２０を含む。たとえば、図４に示すように、頂部フィンガーセクション２２０は、頂部フィンガー装着ブラケット２１２の開口２１４にスナップ嵌合し、底部フィンガーセクション２２０は、底部フィンガー装着ブラケット２１２の開口２１４にスナップ嵌合する。キャリッジ２１０とフィンガーセクション２２０とは一緒に、ケーブル４０の束３０のルーティングのためのチャネル６０を形成する（図９）。
【００１０】
フィンガーセクション２２０の各々は、複数のフィンガー２２１を含む。フィンガー２２１のうちのいくつかは、水平型ケーブルマネージャ２００への十分な量のアクセスを依然として提供しながら、ケーブル４０の束３０を水平型ケーブルマネージャ２００中に保持するためのタブ２２２を含む（図５〜図７および図９）。
【００１１】
それに加えて、水平型ケーブルマネージャ２００は、キャリッジ２１０をラック１０に装着するための１対のラック装着ブラケット２３０を含む。ブラケット２３０の各々は、ブラケット２３０をラック１０に装着するためのラック装着セクション２３１と、ブラケット２３０をキャリッジ２１０に装着するためのキャリッジ装着セクション２３２とを含む。ラック装着セクション２３１は、孔のような複数の開口２３３を含み、開口２３３の各々は、ブラケット２３０をラック１０に固定するために、ねじのような固定具２３４を受けるためのものである（図４、図８、および図９）。キャリッジ装着セクション２３２は、好ましくはキャリッジ装着セクション２３２の長さだけ延びているスロットのような１対の細長開口２３５を含み、細長開口２３５の各々は、たとえば、キャリッジ２１０の側方支持部材２１１の各々の１対の開口２１５を介して、ブラケット２３０をキャリッジ２１０に固定するために、ねじのような固定具２３６を受けるためのものである（図４、図８および図９）。代替的には、細長開口２３５は、各々が異なる垂直型ケーブルマネージャに対応する複数のより小さい開口と置換してもよい。
【００１２】
水平型ケーブルマネージャ２００は、様々な垂直型ケーブルマネージャを収容するように、後退された位置（図示せず）から、完全に拡張された位置（図１〜図２１）または部分的に拡張された位置（図２２〜図２３）まで調節可能である。たとえば、図９に示すように、水平型ケーブルマネージャ２００は、完全に拡張された位置にあり、隣接する高密度垂直型ケーブルマネージャ２０に関して、ケーブル４０の束３０をルーティングするために利用可能な空間５０の量が最大になる。代替的には、図２３に示すように、水平型ケーブルマネージャ２００は、部分的に拡張された位置にあり、高密度垂直型ケーブルマネージャ２０よりも密度が低い、ＰａｎｄｕｉｔのＰａｔｃｈＲｕｎｎｅｒ（商標）垂直型ケーブルマネージャ（ＰＲＶ）のような隣接する垂直型ケーブルマネージャ７０に関して、ケーブル４０の束３０をルーティングするために利用可能な空間５０の量が最大になる。
【００１３】
図１および図１２に示すように、水平型ケーブルマネージャ２００は、水平型ケーブルマネージャ２００により詳細には、フィンガーセクション２２０のフィンガー２２１のうちのいくつかの遠位端に設けられたヒンジナックル２２３に、取外し可能に、かつ回転可能に接続された前面扉２４０を含む（図４）。
【００１４】
図１１〜図１５に示すように、水平型ケーブルマネージャ２００は、水平型ケーブルマネージャ２００に、より詳細には、キャリッジ２１０に回転可能に接続された背面カバー２５０を含む。たとえば、図１３に示すように、背面カバー２５０は、キャリッジ２１０にスナップ嵌合される。代替的には、図１４および図１５に示すように、背面カバー２５０は、キャリッジ２１０に固定される。本出願のある実施形態では、背面カバー２５０は、グロメット２５１（図１４）、またはＰａｎｄｕｉｔのＣｏｏｌ  Ｂｏｏｔ（登録商標）スリーブ（ＣＴＧ）のようなスリーブ２５２（図１５）を含む。図１４および図１５に示すように、ケーブル４０は、フィンガー２２１間に、また、グロメット２５１およびスリーブ２５２を通してルーティングされる。好ましくは、背面カバー２５０は、たとえば、ラック１０の前の冷たい空気と、ラック１０の後ろの熱い空気とを分離するために、水平型ケーブルマネージャ２００を通る空気流を遮断する。図１５に示すように、スリーブ２５２は開いているが、水平型ケーブルマネージャ２００を通る空気流をさらに遮断するために、スリーブ２５２が閉じており、たとえば、ケーブル４０の周囲に締めつけられることも同様に企図される。
【００１５】
図１６〜図２１に示すように、水平型ケーブルマネージャ２００は、フィンガー２２１に沿って、様々な場所に取外し可能に接続され、配置されたリテーナ２６０を含む。たとえば、図１６および図１７に示すように、リテーナ２６０は、水平型ケーブルマネージャ２００内にケーブル４０の束３０を保持するために、フィンガー２２１のうちのいくつかの遠位端に配置される。代替的には、図２０および図２１に示すように、リテーナ２６０は、水平型ケーブルマネージャ２００を複数のチャネル６０中へと駆動させるために、フィンガー２２１のうちのいくつかの中央に配置される。リテーナ２６０は、ケーブルのより小さい束が、水平型ケーブルマネージャ２００の前部分を通って出ないようにするために、タブ２２２よりも長いことが好ましいが、リテーナ２６０が、タブ２２２の長さよりも短いまたはその長さと等しいことも同様に企図される。より好ましくは、リテーナ２６０は、水平型ケーブルマネージャ２００の前部分の中心点を超えて延びる。
【００１６】
本出願のある特定の実施形態では、水平型ケーブルマネージャ２００は、水平型ケーブルマネージャ２００を隣接する垂直型ケーブルマネージャと適切に整列させるための指標２７０を含む。たとえば、図２３に示すように、ブラケット２３０のキャリッジ装着セクション２３２は、水平型ケーブルマネージャ２００を隣接する垂直型ケーブルマネージャ７０と適切に整列させるための、側方支持部材２１１の前縁部２１６と整列した指標２７０を含む。
【００１７】
上記に概説された例示的な実施形態に関して本発明を説明してきたが、知られているか、現在予見されているかにかかわらず、様々な代替形態、修正形態、変形形態、および／または改良形態を明らかにすることができよう。したがって、上述された本発明の例示的な実施形態は、例示的なものであり、限定することを意図するものではない。本発明の趣旨および範囲から逸脱することなく、様々な変更を行うことができる。
【符号の説明】
【００１８】
１０  ラック
２０  垂直型ケーブルマネージャ
３０  ケーブルの束
４０  ケーブル
５０  空間
６０  チャネル
７０  垂直型ケーブルマネージャ
１００，２００  水平型ケーブルマネージャ
２１０  キャリッジ
２１１  側方支持部材
２１２  フィンガー装着ブラケット
２１３  リベット
２１４，２１５  開口
２１６  前縁部
２２０  フィンガーセクション
２２１  フィンガー
２２２  タブ
２２３  ヒンジナックル
２３０  ラック装着ブラケット
２３１  ラック装着セクション
２３２，２３３  開口
２３４，２３６  固定具
２３５  細長開口
２４０  前面扉
２５０  背面カバー
２５１  グロメット
２５２  スリーブ
２６０  リテーナ
２７０  指標
【図１】
2012231144.tif 000003
【図２】
2012231144.tif 000004
【図３】
2012231144.tif 000005
【図４】
2012231144.tif 000006
【図５】
2012231144.tif 000007
【図６】
2012231144.tif 000008
【図７】
2012231144.tif 000009
【図８】
2012231144.tif 000010
【図９】
2012231144.tif 000011
【図１０】
2012231144.tif 000012
【図１１】
2012231144.tif 000013
【図１２】
2012231144.tif 000014
【図１３】
2012231144.tif 000015
【図１４】
2012231144.tif 000016
【図１５】
2012231144.tif 000017
【図１６】
2012231144.tif 000018
【図１７】
2012231144.tif 000019
【図１８】
2012231144.tif 000020
【図１９】
2012231144.tif 000021
【図２０】
2012231144.tif 000022
【図２１】
2012231144.tif 000023
【図２２】
2012231144.tif 000024
【図２３】
2012231144.tif 000025
【図２４】
2012231144.tif 000026
【図２５】
2012231144.tif 000027
【図２６】
2012231144.tif 000028
【外国語明細書】
2012231144.tif 000029
2012231144.tif 000030
2012231144.tif 000031
2012231144.tif 000032
2012231144.tif 000033
2012231144.tif 000034
2012231144.tif 000035
2012231144.tif 000036
2012231144.tif 000037
2012231144.tif 000038
2012231144.tif 000039
2012231144.tif 000040
2012231144.tif 000041
2012231144.tif 000042
2012231144.tif 000043
2012231144.tif 000044
2012231144.tif 000045
2012231144.tif 000046
2012231144.tif 000047
2012231144.tif 000048
2012231144.tif 000049
2012231144.tif 000050
2012231144.tif 000051
2012231144.tif 000052
2012231144.tif 000053
2012231144.tif 000054
2012231144.tif 000055
2012231144.tif 000056
2012231144.tif 000057
2012231144.tif 000058
2012231144.tif 000059
2012231144.tif 000060
2012231144.tif 000061
2012231144.tif 000062
2012231144.tif 000063
2012231144.tif 000064
2012231144.tif 000065